(57)【特許請求の範囲】
【請求項１】
建築物等の壁面部、ドア部、天井部、床部等に部分的または全面的に電磁波障害防止部材を貼着する内装材の仕上げ方法において、
ドア組立てを、中間板材の両側面を合板からなる表面板材によって挾持しかつ接合して構成し、
前記一方の表面板材とこれに対向する中間板材のそれぞれ対向する一側面には、電磁波障害防止部材として、高周波用電磁波障害防止部材と、低周波用電磁波障害防止部材とをそれぞれ貼着し、
前記各電磁波障害防止部材をドア組立ての側端縁部において導電性金属板部からなるドア組立て用仕上げ金具により相互に接触導通させ、
前記ドア組立ての開放側に位置する出入口木枠に対し、導電性金属板からなる仕上げ用金具を取り付け、
前記仕上げ用金具の一端は、仕切壁部の表面に貼着した高周波用電磁波障害防止部材と、壁紙等の内装材の裏面に貼着した低周波用電磁波障害防止部材との間に導通可能に挾持させ、
前記仕上げ用金具の他端は、出入口木枠に設けた戸当り部分まで出入口木枠の表面に沿って延設すると共に、その先端部上に導電性部材からなる戸当りを取り付け固定し、
前記ドア組立てを出入口木枠に対して閉じた状態において、前記ドア組立ての側端縁部に形成したドア組立て用仕上げ金具の一部が、前記戸当りに接触し、前記仕上げ用金具を介して、前記仕切壁部およびその内装材に貼着した電磁波障害防止部材と相互に接触導通させることを特徴とする内装材の仕上げ方法。
【請求項２】
前記ドア組立てを構成する中間板材の一側面に貼着した低周波用電磁波障害防止部材の両端部を、それぞれ前記中間板材の長さ寸法より短くカットし、
前記カット部分に導電性板部材を突き合わせ配置して、その端部を中間板材より外方へ延出させると共に、前記導電性板部材の延出部を前記中間板材の端面に沿って折り曲げ、
前記導電性金属板部からなるドア組立て用仕上げ金具により相互に接触導通させることを特徴とする請求項１記載の内装材の仕上げ方法。
【請求項３】
前記出入口木枠に代えて導電性金属板からなる出入口金属を設け、
前記出入口金属の仕切壁部側に嵌合部を設け、この嵌合部に導電性部材からなる挾持片を固定すると共に、前記挾持片を前記仕切壁部とその内装材とに貼着した電磁波障害防止部材の間に挾持させ、
前記出入口金属の戸当り側に嵌合部を設けて、この嵌合部に導電性部材からなる戸当りを固定することを特徴とする請求項１記載の内装材の仕上げ方法。
【請求項４】
建築物等の壁面部、ドア部、天井部、床部等に部分的または全面的に電磁波障害防止部材を貼着する内装材の仕上げ方法において、
床部と側壁部と天井部の各内面に高周波用電磁波障害防止部材をそれぞれ貼着し、
前記電磁波障害防止部材を貼着した床部と側壁部との境界部には、導電性金属板からなる仕上げ用幅木金具を配置すると共に、側壁部と天井部との境界部には、導電性金属板からなる仕上げ用回り縁金具を配置し、
前記仕上げ用幅木金具と仕上げ用回り縁金具とは、それぞれの隅角部に対して幅木および回り縁を当接してこれらを固定配置すると共に、前記各金具の端縁部を十分な長さ延在させ、
前記幅木より床部側の位置においては、低周波用電磁波障害防止部材を介してその上面に化粧床材を敷設し、
前記幅木と回り縁との間の側壁部側の位置においては、低周波用電磁波障害防止部材を介してその上面に化粧用内装材を貼着し、
さらに前記回り縁より天井部側の位置においては、低周波用電磁波障害防止部材を介して、その上面に化粧用内装材を貼着することを特徴とする内装材の仕上げ方法。
【請求項５】
前記仕上げ用幅木金具と仕上げ用回り縁金具との各隅角部に対して、それぞれ設けた前記幅木および回り縁を省略し、
前記導電性金属板のみにより仕上げ用幅木金具と仕上げ用回り縁金具とを構成したことを特徴とする請求項４記載の内装材の仕上げ方法。
【請求項６】
建築物等の壁面部、ドア部、天井部、床部等に部分的または全面的に電磁波障害防止部材を貼着する内装材の仕上げ方法において、
天井部の内面に高周波用電磁波障害防止部材を貼着し、
前記高周波用電磁波障害防止部材を貼着した天井部に設けた見切部分に、導電性金属板からなる仕上げ用見切金具を配置し、
前記仕上げ用見切金具の見切部分を境界としてそれぞれ天井部の位置において、低周波用電磁波障害防止部材を介してその上面に化粧用内装材を貼着することにより、前記各電磁波障害防止部材を前記仕上げ用見切金具を介して相互に導通接触させることを特徴とする内装材の仕上げ方法。
【請求項７】
建築物等の壁面部、ドア部、天井部、床部等に部分的または全面的に電磁波障害防止部材を貼着してなる内装材の仕上げ構造において、
ドア組立てを、中間板材の両側面を合板からなる表面板材によって挾持しかつ接合して構成し、
前記一方の表面板材とこれに対向する中間板材のそれぞれ対向する一側面には、電磁波障害防止部材として、高周波用電磁波障害防止部材と、低周波用電磁波障害防止部材とをそれぞれ貼着し、
前記各電磁波障害防止部材をドア組立ての側端縁部において導電性金属板からなるドア組立て用仕上げ金具により相互に接触導通するように構成配置し、
前記ドア組立ての開放側に位置する出入口木枠に対し、導電性金属板からなる仕上げ用金具を取り付け、
前記仕上げ用金具の一端は、仕切壁部の表面に貼着した高周波用電磁波障害防止部材と、壁紙等の内装材の裏面に貼着した低周波用電磁波障害防止部材との間に導通可能に挾持させ、
前記仕上げ用金具の他端は、出入口木枠に設けた戸当り部分まで出入口木枠の表面に沿って延設すると共に、その先端部上に導電性部材からなる戸当りを取り付け固定し、
前記ドア組立てを出入口木枠に対して閉じた状態において、前記ドア組立ての側端縁部に形成したドア組立て用仕上げ金具の一部が、前記戸当りに接触し、前記仕上げ用金具を介して、前記仕切壁部およびその内装材に貼着した電磁波障害防止部材と相互に接触導通するように構成したことを特徴とする内装材の仕上げ構造。
【請求項８】
前記ドア組立てを構成する中間板材の一側面に貼着した低周波用電磁波障害防止部材の両端部を、それぞれ前記中間板材の長さ寸法より短くカットし、
前記カット部分に導電性板部材を突き合わせ配置して、その端部を中間板材より外方へ延出させると共に、前記導電性板部材の延出部を前記中間板材の端面に沿って折り曲げ固定し、
前記導電性金属板からなるドア組立て用仕上げ金具により高周波用電磁波障害防止部材と低周波用電磁波障害防止部材とを相互に接触導通させるように構成したことを特徴とする請求項７記載の内装材の仕上げ構造。
【請求項９】
前記出入口木枠に代えて導電性金属板からなる出入口金属を設け、
前記出入口金属の仕切壁部側に嵌合部を設け、この嵌合部に導電性部材からなる挾持片を固定すると共に、前記挾持片を前記仕切壁部とその内装材とに貼着した電磁波障害防止部材の間に挾持し、
前記出入口金属の戸当り側に嵌合部を設けて、この嵌合部に導電性部材からなる戸当りを固定してなることを特徴とする請求項７記載の内装材の仕上げ構造。
【請求項１０】
建築物等の壁面部、ドア部、天井部、床部等に部分的または全面的に電磁波障害防止部材を貼着してなる内装材の仕上げ構造において、
床部と側壁部と天井部の各内面に高周波用電磁波障害防止部材をそれぞれ貼着し、
前記電磁波障害防止部材を貼着した床部と側壁部との境界部には、導電性金属板からなる仕上げ用幅木金具を配置すると共に、側壁部と天井部との境界部には、導電性金属板からなる仕上げ用回り縁金具を配置し、
前記仕上げ用幅木金具と仕上げ用回り縁金具とは、それぞれの隅角部に対して幅木および回り縁を当接してこれらを固定配置すると共に、前記各金具の端縁部を十分な長さ延在させ、
前記幅木より床部側の位置においては、低周波用電磁波障害防止部材を介してその上面に化粧床材を敷設し、
前記幅木と回り縁との間の側壁部側の位置においては、低周波用電磁波障害防止部材を介してその上面に化粧用内装材を貼着し、
さらに前記回り縁より天井部側の位置においては、低周波用電磁波障害防止部材を介してその上面に化粧用内装材を貼着した構成からなることを特徴とする内装材の仕上げ構造。
【請求項１１】
前記仕上げ用幅木金具と仕上げ用回り縁金具との各隅角部に対して、それぞれ設けた前記幅木および回り縁を省略し、
前記導電性金属板のみにより仕上げ用幅木金具と仕上げ用回り縁金具とを構成したことを特徴とする請求項１０記載の内装材の仕上げ構造。
【請求項１２】
建築物等の壁面部、ドア部、天井部、床部等に部分的または全面的に電磁波障害防止部材を貼着してなる内装材の仕上げ構造において、
天井部の内面に高周波用電磁波障害防止部材を貼着し、
前記高周波用電磁波障害防止部材を貼着した天井部に設けた見切部分に、導電性金属板からなる仕上げ用見切金具を配置し、
前記仕上げ用見切金具の見切部分を境界としてそれぞれ天井部の位置において、低周波用電磁波障害防止部材を介してその上面に化粧用内装材を貼着し、
前記各電磁波障害防止部材を前記仕上げ用見切金具を介して相互に導通接触するように構成したことを特徴とする内装材の仕上げ構造。
【請求項１３】
前記電磁波障害防止部材は、導電性物質塗布シートにより構成してなることを特徴とする請求項７ないし１２のいずれかに記載の内装材の仕上げ構造。
【請求項１４】
前記電磁波障害防止部材は、導電性物質塗布シートを予め所定の肉厚を有する合板または耐火材の一側面に貼着し、電磁波障害防止用パネルとして構成すると共に、前記導電性物質塗布シートの両側縁部を、前記パネルの寸法より長く設定してその両側縁部を前記パネルの両端縁部に沿って折り曲げ可能に構成してなることを特徴とする請求項７ないし１２のいずれかに記載の内装材の仕上げ構造。
【発明の詳細な説明】
【０００１】
【発明の属する技術分野】
本発明は、建築物等における内装材の仕上げ方法およびその構造に係り、特に壁面部、ドア部、天井部、床部等の一部もしくは全面に導電性物質塗布層を設けると共に、前記導電性物質塗布層に対し壁紙等の内装材の一部または導電帯片を使用して適宜導通接続を行うよう構成することによって、建築物等に対する電磁波遮蔽機能や電気的導通遮断検知機能を保持させて、建築物等の安全性や防犯効果を高めることができる内装材の仕上げ方法および構造に関するものである。
【０００２】
【従来の技術】
近年、携帯電話、ＰＨＳ電話、パソコン通信等の各種移動通信手段の発達によって、前記各種移動通信手段の間における電波の混信、通信内容の漏洩のみならず、コンピュータおよびこれによって制御される各種電子機器等の誤動作や、人体に対する電磁波障害等の問題が生じている。
【０００３】
そこで、前記問題を解消する手段として、建築物等の内壁面や天井面等を電磁波遮蔽（シールド）することが必要とされる。このような観点から、従来においては、金属板、金属箔、金属メッシュ等の電磁波遮蔽部材を組み込んだ内装材を使用することが提案され、実施されている。しかしながら、このように特殊な内装材を建築物等の内壁面や天井面等に取付ける仕上げ作業は、一般的な内装材と比べて作業工程数が増大するばかりでなく、設備コストも増大する難点がある。
【０００４】
【発明が解決しようとする課題】
そこで、本発明者は、前述した電磁波遮蔽部材を組み込んだ内装材の仕上げに関する問題点を解消すべく、鋭意研究並びに試作を重ねた結果、建築物等の壁面部、ドア部、天井部、床部等に部分的または全面的に電磁波障害防止部材を貼着する内装材の仕上げ方法において、前記建築物等の壁面部、ドア部、天井部、床部等に対して、高周波用電磁波障害防止部材と低周波用電磁波障害防止部材とを相互にかつ有効に接触導通させるよう構成配置することにより、簡便かつ迅速にして低コストに内装材の仕上げ方法および仕上げ構造を得ることができることを突き止めた。
【０００５】
すなわち、ドア組立てを、中間板材の両側面を合板からなる表面板材によって挾持しかつ接合して構成し、前記一方の表面板材とこれに対向する中間板材のそれぞれ対向する一側面には、電磁波障害防止部材として、高周波に対する電磁波障害防止部材と、低周波に対する電磁波障害防止部材とをそれぞれ貼着し、前記電磁波障害防止部材を相互に接触導通させることにより、前記電磁波障害防止効果を備えたドア組立ての仕上げを簡便かつ迅速に達成することができる。
【０００６】
また、床部と側壁部と天井部の各内面に高周波用電磁波障害防止部材をそれぞれ貼着し、この電磁波障害防止部材をを貼着した床部と側壁部との境界部には、導電性金属板からなる仕上げ用幅木金具を配置すると共に、側壁部と天井部との境界部には、導電性金属板からなる仕上げ用回り縁金具を配置し、前記仕上げ用幅木金具と仕上げ用回り縁金具とは、それぞれの隅角部に対して幅木および回り縁を当接してこれらを固定配置すると共に、前記各金具の端縁部を十分な長さ延在させて、前記幅木より床部側の位置においては、低周波用電磁波障害防止部材を介してその上面に化粧床材を敷設し、前記幅木と回り縁との間の側壁部側の位置においては、低周波用電磁波障害防止部材を介してその上面に化粧用内装材を貼着し、さらに前記回り縁より天井部側の位置においては、低周波用電磁波障害防止部材を介して、その上面に化粧用内装材を貼着することにより、前記電磁波障害防止効果を備えた床部と側壁部と天井部のそれぞれ仕上げを簡便かつ迅速に達成することができる。
【０００７】
従って、本発明の目的は、建築物等の壁面部、ドア部、天井部、床部等に対する電磁波遮蔽機能や電気的導通遮断検知機能を保持させることができる内装材の仕上げを、簡単な構成とすると共に、簡便かつ容易な作業工程を実現し得ると共に、建築物等の安全性や防犯効果を十分に高めることができ、しかも低コストに施工することができる、内装材の仕上げ方法および仕上げ構造を提供することにある。
【０００８】
【課題を解決するための手段】
前記目的を達成するため、本発明に係る請求項１に記載の内装材の仕上げ方法は、建築物等の壁面部、ドア部、天井部、床部等に部分的または全面的に電磁波障害防止部材を貼着する内装材の仕上げ方法において、ドア組立てを、中間板材の両側面を合板からなる表面板材によって挾持しかつ接合して構成し、前記一方の表面板材とこれに対向する中間板材のそれぞれ対向する一側面には、電磁波障害防止部材として、高周波用電磁波障害防止部材と、低周波用電磁波障害防止部材とをそれぞれ貼着し、前記各電磁波障害防止部材をドア組立ての側端縁部において導電性金属板からなるドア組立て用仕上げ金具により相互に接触導通させ、前記ドア組立ての開放側に位置する出入口木枠に対し、導電性金属板からなる仕上げ用金具を取り付け、前記仕上げ用金具の一端は、仕切壁部の表面に貼着した高周波用電磁波障害防止部材と、壁紙等の内装材の裏面に貼着した低周波用電磁波障害防止部材との間に導通可能に挾持させ、前記仕上げ用金具の他端は、出入口木枠に設けた戸当り部分まで出入口木枠の表面に沿って延設すると共に、その先端部上に導電性部材からなる戸当りを取り付け固定し、前記ドア組立てを出入口木枠に対して閉じた状態において、前記ドア組立ての側端縁部に形成したドア組立て用仕上げ金具の一部が、前記戸当りに接触し、前記仕上げ用金具を介して、前記仕切壁部およびその内装材に貼着した電磁波障害防止部材と相互に接触導通させることを特徴とする。
本発明に係る請求項２に記載の内装材の仕上げ方法は、前記ドア組立てを構成する中間板材の一側面に貼着した低周波用電磁波障害防止部材の両端部を、それぞれ前記中間板材の長さ寸法より短くカットし、前記カット部分に導電性板部材を突き合わせ配置してその端部を中間板材より外方へ延出させると共に、前記導電性板部材の延出部を前記中間板材の端面に沿って折り曲げ、前記導電性金属板からなるドア組立て用仕上げ金具により相互に接触導通させることを特徴とする。
本発明に係る請求項３に記載の内装材の仕上げ方法は、前記出入口木枠に代えて導電性金属板からなる出入口金属を設け、前記出入口金属の仕切壁部側に嵌合部を設けて、この嵌合部に導電性部材からなる挾持片を固定すると共に、前記挾持片を前記仕切壁部とその内装材とに貼着した電磁波障害防止部材の間に挾持させ、前記出入口金属の戸当り側に嵌合部を設けて、この嵌合部に導電性部材からなる戸当りを固定することを特徴とする。
【０００９】
本発明に係る請求項４に記載の内装材の仕上げ方法は、建築物等の壁面部、ドア部、天井部、床部等に部分的または全面的に電磁波障害防止部材を貼着する内装材の仕上げ方法において、床部と側壁部と天井部の各内面に高周波用電磁波障害防止部材をそれぞれ貼着し、前記電磁波障害防止部材を貼着した床部と側壁部との境界部には、導電性金属板からなる仕上げ用幅木金具を配置すると共に、側壁部と天井部との境界部には、導電性金属板からなる仕上げ用回り縁金具を配置し、前記仕上げ用幅木金具と仕上げ用回り縁金具とは、それぞれの隅角部に対して幅木および回り縁を当接してこれらを固定配置すると共に、前記各金具の端縁部を十分な長さ延在させ、前記幅木より床部側の位置においては、低周波用電磁波障害防止部材を介してその上面に化粧床材を敷設し、前記幅木と回り縁との間の側壁部側の位置においては、低周波用電磁波障害防止部材を介してその上面に化粧用内装材を貼着し、さらに前記回り縁より天井部側の位置においては、低周波用電磁波障害防止部材を介して、その上面に化粧用内装材を貼着することを特徴とする。
本発明に係る請求項５に記載の内装材の仕上げ方法は、前記仕上げ用幅木金具と仕上げ用回り縁金具との各隅角部に対して、それぞれ設けた前記幅木および回り縁を省略し、前記導電性金属板のみにより仕上げ用幅木金具と仕上げ用回り縁金具とを構成したことを特徴とする。
【００１０】
本発明に係る請求項６に記載の内装材の仕上げ方法は、建築物等の壁面部、ドア部、天井部、床部等に部分的または全面的に電磁波障害防止部材を貼着する内装材の仕上げ方法において、天井部の内面に高周波用電磁波障害防止部材を貼着し、前記高周波用電磁波障害防止部材を貼着した天井部に設けた見切部分に、導電性金属板からなる仕上げ用見切金具を配置し、前記仕上げ用見切金具の見切部分を境界としてそれぞれ天井部の位置において、低周波用電磁波障害防止部材を介してその上面に化粧用内装材を貼着することにより、前記各電磁波障害防止部材を前記仕上げ用見切金具を介して相互に導通接触させることを特徴とする。
【００１１】
本発明に係る請求項７に記載の内装材の仕上げ構造は、建築物等の壁面部、ドア部、天井部、床部等に部分的または全面的に電磁波障害防止部材を貼着してなる内装材の仕上げ構造において、ドア組立てを、中間板材の両側面を合板からなる表面板材によって挾持しかつ接合して構成し、前記一方の表面板材とこれに対向する中間板材のそれぞれ対向する一側面には、電磁波障害防止部材として、高周波用電磁波障害防止部材と、低周波用電磁波障害防止部材とをそれぞれ貼着し、前記各電磁波障害防止部材をドア組立ての側端縁部において導電性金属板からなるドア組立て用仕上げ金具により相互に接触導通するように構成配置し、前記ドア組立ての開放側に位置する出入口木枠に対し、導電性金属板からなる仕上げ用金具を取り付け、前記仕上げ用金具の一端は、仕切壁部の表面に貼着した高周波用電磁波障害防止部材と、壁紙等の内装材の裏面に貼着した低周波用電磁波障害防止部材との間に導通可能に挾持させ、前記仕上げ用金具の他端は、出入口木枠に設けた戸当り部分まで出入口木枠の表面に沿って延設すると共に、その先端部上に導電性部材からなる戸当りを取り付け固定し、前記ドア組立てを出入口木枠に対して閉じた状態において、前記ドア組立ての側端縁部に形成したドア組立て用仕上げ金具の一部が、前記戸当りに接触し、前記仕上げ用金具を介して、前記仕切壁部およびその内装材に貼着した電磁波障害防止部材と相互に接触導通するように構成したことを特徴とする。
【００１２】
本発明に係る請求項８に記載の内装材の仕上げ構造は、前記ドア組立てを構成する中間板材の一側面に貼着した低周波用電磁波障害防止部材の両端部を、それぞれ前記中間板材の長さ寸法より短くカットし、前記カット部分に導電性板部材を突き合わせ配置してその端部を中間板材より外方へ延出させると共に、この導電性板部材の延出部を前記中間板材の端面に沿って折り曲げ固定し、前記導電性金属板からなるドア組立て用仕上げ金具により相互に接触導通させるように構成したことを特徴とする。
【００１３】
本発明に係る請求項９に記載の内装材の仕上げ構造は、前記出入口木枠に代えて導電性金属板からなる出入口金属を設け、前記出入口金属の仕切壁部側に嵌合部を設け、この嵌合部に導電性部材からなる挾持片を固定すると共に、前記挾持片を前記仕切壁部とその内装材とに貼着した電磁波障害防止部材の間に挾持し、前記出入口金属の戸当り側に嵌合部を設けて、この嵌合部に導電性部材からなる戸当りを固定した構成からなることを特徴とする。
【００１４】
本発明に係る請求項１０に記載の内装材の仕上げ構造は、建築物等の壁面部、ドア部、天井部、床部等に部分的または全面的に電磁波障害防止部材を貼着してなる内装材の仕上げ構造において、床部と側壁部と天井部の各内面に高周波用電磁波障害防止部材をそれぞれ貼着し、前記電磁波障害防止部材を貼着した床部と側壁部との境界部には、導電性金属板からなる仕上げ用幅木金具を配置すると共に、側壁部と天井部との境界部には、導電性金属板からなる仕上げ用回り縁金具を配置し、前記仕上げ用幅木金具と仕上げ用回り縁金具とは、それぞれの隅角部に対して幅木および回り縁を当接してこれらを固定配置すると共に、前記各金具の端縁部を十分な長さ延在させ、前記幅木より床部側の位置においては、低周波用電磁波障害防止部材を介してその上面に化粧床材を敷設し、前記幅木と回り縁との間の側壁部側の位置においては、低周波用電磁波障害防止部材を介してその上面に化粧用内装材を貼着し、さらに前記回り縁より天井部側の位置においては、低周波用電磁波障害防止部材を介してその上面に化粧用内装材を貼着した構成からなることを特徴とする。
【００１５】
本発明に係る請求項１１に記載の内装材の仕上げ構造は、前記仕上げ用幅木金具と仕上げ用回り縁金具との各隅角部に対して、それぞれ設けた前記幅木および回り縁を省略し、前記導電性金属板のみにより仕上げ用幅木金具と仕上げ用回り縁金具とを構成したことを特徴とする。
【００１６】
本発明に係る請求項１２に記載の内装材の仕上げ構造は、建築物等の壁面部、ドア部、天井部、床部等に部分的または全面的に電磁波障害防止部材を貼着してなる内装材の仕上げ構造において、天井部の内面に高周波用電磁波障害防止部材を貼着し、前記高周波用電磁波障害防止部材を貼着した天井部に設けた見切部分に、導電性金属板からなる仕上げ用見切金具を配置し、前記仕上げ用見切金具の見切部分を境界としてそれぞれ天井部の位置において、低周波用電磁波障害防止部材を介してその上面に化粧用内装材を貼着し、前記各電磁波障害防止部材を前記仕上げ用見切金具を介して相互に導通接触するように構成したことを特徴とする。
【００１７】
本発明に係る請求項１３に記載の内装材の仕上げ構造は、前記電磁波障害防止部材は、導電性物質塗布シートにより構成してなることを特徴とする。
【００１８】
本発明に係る請求項１４に記載の内装材の仕上げ構造は、前記電磁波障害防止部材は、導電性物質塗布シートを予め所定の肉厚を有する合板または耐火材の一側面に貼着し、電磁波障害防止用パネルとして構成すると共に、前記導電性物質塗布シートの両側縁部を、前記パネルの寸法より長く設定してその両側縁部を前記パネルの両端縁部に沿って折り曲げ可能に構成してなることを特徴とする。
【００１９】
【発明の実施の形態】
次に、本発明に係る内装材の仕上げ方法およびその構造の実施例につき、添付図面を参照しながら以下詳細に説明する。
【００２０】
【実施例１】
１．ドア組立ての構成
図１ないし図１１は、本発明に係る内装材の仕上げ方法の一実施例として、ドア組立てと、その仕上げ構造を示したものである。すなわち、図１はドア組立ての仕上げ状態における正面図であり、参照符号１０はドア組立てを示し、このドア組立て１０は、一般的に部屋と部屋の仕切壁部２０の一部に設けた出入口木枠２２に取付けられる。また、前記ドア組立て１０には、上方にガラス等の透明板を嵌め込んだ窓部２４が設けられると共に、下方には通気性を考慮したガラリ（ルーバ）２６が設けられている。なお、図１において、参照符号２８は床部を示す。
【００２１】
そこで、図２においては、図１に示すドア組立て１０の各構成要素を分解して示した要部断面平面図であり、所要の枠体に断熱材、難燃材、耐火材等を適宜組合わせて中間板材１１を成形し、この中間板材１１の両側面を合板からなる表面板材１２ａ、１２ｂによって挾持して、接合するように構成したものである。しかるに、本実施例のドア組立て１０においては、前記一方の表面板材１２ａとこれに対向する中間板材１１のそれぞれ対向する一側面には、電磁波障害防止部材として、例えば高周波に対する電磁波障害防止用としての第１の導電性物質塗布シート１３と、低周波に対する電磁波障害防止用としての第２の導電性物質塗布シート１４とをそれぞれ貼着する。
【００２２】
この場合、表面板材１２ａに貼着した第１の導電性物質塗布シート１３と、中間板材１１に貼着した第２の導電性物質塗布シート１４とを接合した際に、相互に電気的導通性を保持するように設定する。また、前記中間板材１１の第２の導電性物質塗布シート１４を貼着する側面の両端部は、テーパ状にカットし、このテーパカット部分１１ａ、１１ａには、前記第２の導電性物質塗布シート１４が被覆されないように適宜前記シート１４をカットする。さらに、前記中間板材１１のテーパカット部分１１ａ、１１ａに対しては、そのテーパカット部分１１ａ、１１ａの長さより十分長く設定した銅板等の導電性板部材１５、１５を、前記シート１４のカット部分に突き合わせ配置する。
【００２３】
従って、このように構成されるドア組立て１０の各構成要素を、それぞれ図３ないし図５に示すように組合わせて、本発明に係るドア組立て１０を組み立てることができる。まず、図２に示す各構成要素を組合わせることにより、図３に示すドア組立て１０を組み立てることができる。この場合、前記中間板材１１の端部より外方に突出した導電性板部材１５ａは、図３に示すように、テーパカット部分１１ａに適宜そのカット形状に適合した楔部材１６を嵌め込み、この楔部材１６を覆うように前記導電性板部材１５ａを前記中間板材１１の端面に折り曲げ当接する。
【００２４】
また、図４は、前記ドア組立て１０の各構成要素の組み合わせる場合における窓部２４の組立て状態を示すものである。すなわち、図４においては、中間板材１１と表面板材１２ａ、１２ｂとからなるドア組立て１０の窓部２４を形成する開口部１８を、前記図３に示すように、テーパカット部分１１ａと、楔部材１６と、導電性板部材１５とにより処理した後、前記開口部１８に対し透明板１７を前記導電性板部材１５ａと接触するように嵌め込むと共に、その両側からそれぞれ窓枠部材１９ａ、１９ｂを装着して前記透明板１７を挾持固定するように構成したものである。この場合、前記透明板１７の内部に導電線を適宜埋設しておき、この導電線の一部をその外側縁部に露呈させておくことにより、前記ドア組立て１０に形成した開口部１８の導電性板部材１５ａと導通接触させることができる。
【００２５】
一方、図５の（ａ）および（ｂ）は、前述したドア組立て１０の組み立てる状態を示すもので、図３に示すように形成したドア組立て１０の外側縁部には、図５の（ａ）に示す断面形状からなる導電性金属板からなるドア組立て用仕上げ金具３０を、図５の（ｂ）に示すように、前記ドア組立て１０の外側縁部に形成した導電性板部材１５ａと接触するように嵌合装着したものである。
【００２６】
なお、図４に示すように形成した窓部２４は、図６に示すように、透明板１７の外側縁部に導電テープ１７ａを貼着して、前記透明板１７を開口部１８に対し前記導電テープ１７ａが導電性板部材１５ａと接触するように嵌め込むように構成しても良い。
【００２７】
２．ドア組立ての仕上げ
図７ないし図９は、前述した構成からなるドア組立て１０の仕上げ方法および仕上げ構造に関するものであって、図７は前記ドア組立て１０の開放側端部の出入口木枠３２に対する仕上げ状態を示すと共に、図８は前記ドア組立て１０の出入口の床部２８に対する仕上げ状態を示すものである。しかるに、図７においては、ドア組立て１０の開放側に位置する出入口木枠３２に対し、図示のような導電性金属板からなる仕上げ用金具３４を取り付ける。なお、この仕上げ用金具３４の一端は、仕切壁部２０の表面に貼着した第１の導電性物質塗布シート１３と、壁紙等の内装材４０の裏面に貼着した第２の導電性物質塗布シート１４との間に、導通可能に挾持させる。また、仕上げ用金具３４の他端は、出入口木枠３２に設けた戸当り凸部３２ａまで出入口木枠３２の表面に沿って延設し、その先端部上に導電性部材からなる戸当り３５を取り付け固定する。このように構成することにより、図９に示すように、ドア組立て１０を出入口木枠３２に対して閉じた状態においては、前記ドア組立て１０の側端縁部に形成した導電性金属板からなるドア組立て用仕上げ金具３０の一部が、前記戸当り３５に接触し、前記仕上げ用金具３４を介して、仕切壁部２０の導電性物質塗布シート１３、１４と相互に接触導通させることができる。
【００２８】
一方、図８においては、ドア組立て１０の閉じた状態における下端縁部と床部２８との間の仕上げ構造を示すものである。すなわち、図８において、前述したようにドア組立て１０の下端縁部に形成した導電性金属板からなるドア組立て用仕上げ金具３０の一部に、導電性ばね部材からなる接触片３６の一端を固定し、この接触片３６の他端を前記床部２８に設けた接地金属板３７に対し、摺動接触可能に構成配置したものである。
【００２９】
図１０の（ａ）ないし（ｃ）は、前記図７に示すドア組立て１０の仕上げ構造の変形例を示すものである。すなわち、図１０の（ａ）に示すように、出入口木枠３２に代えて導電性金属板からなる出入口金属３８を設け、この出入口金属３８の仕切壁部２０側には適宜嵌合部３８ａを設けて、この嵌合部３８ａに導電性部材からなる挾持片３９を固定して、前記と同様に仕切壁部２０と化粧用内装材４０との間に挾持させ〔図１０の（ｂ）参照〕、また戸当り側にも適宜嵌合部３８ｂを設けて、この嵌合部３８ａに導電性部材からなる戸当り３５を固定した構成からなるものである〔図１０の（ｃ）参照〕。
【００３０】
図１１は、前記図７に示すドア組立て１０の仕上げ構造のさらに別の変形例を示すものである。すなわち、図１１においては、出入口木枠３２を仕切壁部２０と同一平面状となるように構成し、さらに戸当り凸部３２ａも後付け構成としたものである。そして、この場合、前記出入口木枠３２に対する導電性金属板からなる仕上げ用金具３４の取り付けに際しては、仕切壁部２０側に対しては、内装材４０との間に挾持させると共に、前記出入口木枠３２の両端縁部に対し、それぞれ化粧用内装材４０の端縁部を保持するように化粧板材からなる化粧縁４１を取り付け固定する。なお、仕上げ用金具３４の戸当り側については、適宜戸当り３５を固定することができる。
【００３１】
【実施例２】
１．床、側壁、天井の結合構成とその仕上げ
図１２ないし図１８は、本発明に係る内装材の仕上げ方法の別の実施例として、床部２８と側壁部２０と天井部４２との結合と、その仕上げ構造を示したものである。すなわち、図１２においては、床部２８と側壁部２０と天井部４２の各内面に、例えば高周波に対する電磁波障害防止用としての第１の導電性物質塗布シート４３をそれぞれ貼着する。次いで、前記第１の導電性物質塗布シート４３をそれぞれ貼着した床部２８と側壁部２０との境界部には、図示のように断面をほぼＬ字状に形成した導電性金属板からなる仕上げ用幅木金具４５Ａを配置すると共に、側壁部２０と天井部４２との境界部には、図示のような断面をほぼＬ字状に形成した導電性金属板からなる仕上げ用回り縁金具４５Ｂを配置する。そして、前記仕上げ用幅木金具４５Ａと仕上げ用回り縁金具４５Ｂとは、それぞれの隅角部に対して幅木４６および回り縁４８を当接してこれらを固定配置すると共に、前記各金具４５Ａ、４５Ｂの端縁部が十分な長さを有して延在するよう構成する。
【００３２】
そして、前記幅木４６より床部２８側の位置においては、例えば低周波に対する電磁波障害防止用としての第２の導電性物質塗布シート４４を介して、その上面にカーペット等の化粧床材４９を敷設する。また、前記幅木４６と回り縁４８との間の側壁部２０側の位置においては、例えば低周波に対する電磁波障害防止用としての第２の導電性物質塗布シート４４を介して、その上面に化粧用内装材４０を貼着する。さらに、前記回り縁４８より天井部４２側の位置においては、例えば低周波に対する電磁波障害防止用としての第２の導電性物質塗布シート４４を介して、その上面に化粧用内装材４０を貼着する。このように、構成配置することにより、前記第１の導電性物質塗布シート４３と第２の導電性物質塗布シート４４とは、前記仕上げ用幅木金具４５Ａおよび仕上げ用回り縁金具４５Ｂを介して、それぞれ相互に導通接触させることができる。
【００３３】
図１３の（ａ）および（ｂ）は、前記実施例において回り縁４８および幅木４６は、内装材として外部に露呈するため、これらを化粧用内装材として仕上げた場合の化粧用回り縁４８〔図１３の（ａ）参照〕および化粧用幅木４６〔図１３の（ｂ）参照〕をそれぞれ示すものである。
【００３４】
図１４は、前記図１２に示す床部２８と側壁部２０と天井部４２との結合およびその仕上げ構造の変形例を示すものである。すなわち、図１４に示すように、仕上げ用幅木金具４５Ａと仕上げ用回り縁金具４５Ｂとの各隅角部に対して、それぞれ設ける幅木４６および回り縁４８を省略し、前記金具のみによって仕上げ用幅木金具４５Ａ′と仕上げ用回り縁金具４５Ｂ′とを構成したものである。その他の構成は、前記図１２に示す実施例と同じであり、同一の構成要素には同一の参照符号を付して、その詳細な説明は省略する。なお、図１５の（ａ）および（ｂ）は、前記仕上げ用回り縁金具４５Ｂ′および仕上げ用幅木金具４５Ａ′のそれぞれ部分斜視図を示すものである。また、この場合において、前記仕上げ用回り縁金具４５Ｂ′および仕上げ用幅木金具４５Ａ′のそれぞれ回り縁部分および幅木部分の空間部には、適宜下地材（図示せず）を配置して内装材の固定ないし補強を行うことも可能である。
【００３５】
【実施例３】
１．天井部の構成とその仕上げ
図１６の（ａ）ないし（ｃ）は、本発明に係る内装材の仕上げ方法のさらに別の実施例として、天井部４２の構成とその仕上げ構造をそれぞれ示したものである。すなわち、図１６の（ａ）においては、天井部４２に見切４２ａが設けられている場合の仕上げ状態を示すものである。この場合、天井部４２の内面には、前記実施例と同様に、例えば高周波に対する電磁波障害防止用としての第１の導電性物質塗布シート４３をそれぞれ貼着する。次いで、前記第１の導電性物質塗布シート４３をそれぞれ貼着した天井部４２の見切４２ａ部分には、図示のように断面をほぼ凹字状に形成した導電性金属板からなる仕上げ用見切金具４５Ｃを配置する。そして、前記仕上げ用見切金具４５Ｃの見切部分を境界としてそれぞれ天井部４２の位置においては、例えば低周波に対する電磁波障害防止用としての第２の導電性物質塗布シート４４を介して、その上面に化粧用内装材４０を貼着する。このように、構成配置することにより、前記第１の導電性物質塗布シート４３と第２の導電性物質塗布シート４４とは、前記仕上げ用見切金具４５Ｃを介して、それぞれ相互に導通接触させることができる。なお、図１６の（ｂ）は、前記仕上げ用見切金具４５Ｃの部分斜視図を示すものである。
【００３６】
図１６の（ｃ）は、前記天井部４２の仕上げ構造の変形例を示すものである。すなわち、天井部４２に見切４２ａが設けられていない場合には、図示のように扁平板状に形成した導電性金属板からなる仕上げ用見切金具４５Ｃ′を配置して、この金具４５Ｃ′の表面中央部に化粧用見切５０を固定配置したものである。なお、この場合における仕上げ方法については、基本的に前記実施例とほぼ同じである。
【００３７】
【実施例４】
１．側壁部の構成とその仕上げ
図１７は、本発明に係る内装材の仕上げ方法の他の実施例として、側壁部２０の構成とその仕上げ構造を示したものである。すなわち、図１７においては、側壁部２０にパネル等の肉厚部材からなる内装材５２を設ける場合の仕上げ状態を示すものである。この場合、床部２８と側壁部２０と天井部４２の各内面に、例えば高周波に対する電磁波障害防止用としての第１の導電性物質塗布シート４３をそれぞれ貼着する。次いで、前記側壁部２０と床部２８との境界部分においては、例えば低周波に対する電磁波障害防止用としての第２の導電性物質塗布シート４４を介して、床部２８上にはカーペット等の化粧床材４９を敷設すると共に、側壁部２０上には前記内装材５２を挟んで幅木５３を固定配置する。また、前記側壁部２０と天井部４２との境界部分においては、例えば低周波に対する電磁波障害防止用としての第２の導電性物質塗布シート４４を介して回り縁５４を固定配置し、天井部４２内面には化粧用内装材４０を貼着すると共に、側壁部２０上には係止部材５４ａを介して前記内装材５２を係止する。そして、前記側壁部２０上の中位部には、図示のように前記内装材５２の一部を係止するようにして、見切５５を固定配置した構成からなる。このように、構成配置することにより、前記第１の導電性物質塗布シート４３と第２の導電性物質塗布シート４４とを、それぞれ相互に導通接触させることができる。
【００３８】
なお、前述した本発明の実施態様としての各実施例において、それぞれ適用する電磁波障害防止部材としての導電性物質塗布シートは、紙基材等の一側面に対し部分的にまたは全面的に導電性物質塗布層を設けた構成とすることができる。この場合、前記紙基材としては、従来より公知のセルロース繊維を主体として、必要に応じて合成繊維、無機繊維、合成パルプ等を適宜配合し、自己消火性填料、その他の填料、乾燥紙力増強剤、防カビ剤、着色剤、サイズ剤、定着剤等を適宜添加して抄紙することにより得ることができる。なお、セルロース繊維とは、公知の木材パルプを主体とし、麻、こうぞ、雁皮のジン皮繊維、コットンリンター、竹、藁等の非木材パルプ等を適宜混合したものであって、これらのセルロース繊維の単独あるいは混合物に、必要に応じて合成繊維、ガラス繊維、無機繊維、合成パルプ等の繊維物質を適宜配合して使用することができる。また、前記導電性物質塗布層を形成する導電性物質としては、例えばカーボン、金属粉、金属合金粉、金属粒体、金属合金粒体等を使用することができる。さらに、前記電磁波障害防止部材としての導電性物質塗布シートとして、例えば銅板等の導電性金属板を直接使用することも可能である。
【００３９】
また、前記導電性物質塗布シートは、相互に導通接続し得るよう貼着することにより、電磁波の遮蔽機能領域を形成して、電磁波の遮蔽効果を保持させることができる。また、前記導電性物質塗布シートの相互導通接続により電気的閉回路を構成することができる。従って、このように構成された電気的閉回路は、これに電気的導通の遮断検知を行うセンサ（図示せず）を接続配置することにより、電気的導通の遮断検知機能領域を形成することができる。すなわち、このように形成された電気的導通の遮断検知機能領域は、内装材の貼着された壁部等を破壊した場合、前記電気的閉回路が遮断されて、警報を発生するように設定することができ、外部からの異常侵入を検知する防犯効果を発揮させることもできる。
【００４０】
図１８の（ａ）〜（ｃ）は、前述した導電性物質塗布シート４３、４４の変形例を示すものであり、例えば低周波に対する電磁波障害防止用としての第２の導電性物質塗布シート４４について、これを予め所定の肉厚を有する合板または耐火材５６の一側面に貼着し、電磁波障害防止用パネルとして構成したものである。この場合、前記導電性物質塗布シート４４の両側縁部４４ａ、４４ａを、前記パネルの寸法より長く設定しておき〔図１８の（ａ）参照〕、図示のように前記両側縁部４４ａ、４４ａをパネルの両端縁部に沿って折り曲げ〔図１８の（ｂ）参照〕、この部分が相互に接触するようにして前記パネルを隣接配置する〔図１８の（ｃ）参照〕ことにより、本発明に係る内装材の仕上げ方法を適正かつ迅速に達成することができる。なお、図１８の（ｃ）において、参照符号４３は、例えば高周波に対する電磁波障害防止用としての第１の導電性物質塗布シートを示し、また参照符号４０は化粧用内装材を示す。
【００４１】
なお、図１９の（ａ）および（ｂ）は、前述したように、導電性物質塗布シートをパネル構成とした場合の隣接配置とその接合方法の変形例を示すものである。すなわち、この場合、合板または耐火材５６の接合端縁部を全面的に内方へテーパカット５８するか〔図１９の（ａ）参照〕、または部分的に内方へテーパカット５８すること〔図１９の（ｂ）参照〕により、導電性物質塗布シート４４の端縁部の相互接触を強固かつ確実に達成することが可能である。
【００４２】
以上、本発明の好適な実施例について説明したが、本発明は前記実施例に限定されることなく、本発明の精神を逸脱しない範囲内において、多くの設計変更が可能である。
【００４３】
【発明の効果】
前述した実施例から明らかな通り、本発明に係る内装材の仕上げ方法は、建築物等の壁面部、ドア部、天井部、床部等に部分的または全面的に電磁波障害防止部材を貼着する内装材の仕上げ方法およびその構造において、高周波用電磁波障害防止部材と低周波用電磁波障害防止部材とを相互に接触導通させるよう構成配置することにより、内装材の仕上を簡便かつ迅速に達成することができると共に、建築物等に対する電磁波遮蔽機能や電気的導通遮断検知機能を保持させて、建築物等の安全性や防犯効果を高めることができる。
【００４４】
そこで、本発明においては、ドア組立てを、中間板材の両側面を合板からなる表面板材によって挾持しかつ接合して構成し、前記一方の表面板材とこれに対向する中間板材のそれぞれ対向する一側面には、電磁波障害防止部材として、高周波に対する電磁波障害防止部材と、低周波に対する電磁波障害防止部材とをそれぞれ貼着し、前記電磁波障害防止部材を相互に接触導通させることにより、前記電磁波障害防止効果を備えたドア組立ての仕上げを簡便かつ迅速に達成することができる。
【００４５】
また、床部と側壁部と天井部の各内面に高周波用電磁波障害防止部材をそれぞれ貼着し、この電磁波障害防止部材をを貼着した床部と側壁部との境界部には、導電性金属板からなる仕上げ用幅木金具を配置すると共に、側壁部と天井部との境界部には、導電性金属板からなる仕上げ用回り縁金具を配置し、前記仕上げ用幅木金具と仕上げ用回り縁金具とは、それぞれの隅角部に対して幅木および回り縁を当接してこれらを固定配置すると共に、前記各金具の端縁部を十分な長さ延在させて、前記幅木より床部側の位置においては、低周波用電磁波障害防止部材を介してその上面に化粧床材を敷設し、前記幅木と回り縁との間の側壁部側の位置においては、低周波用電磁波障害防止部材を介してその上面に化粧用内装材を貼着し、さらに前記回り縁より天井部側の位置においては、低周波用電磁波障害防止部材を介して、その上面に化粧用内装材を貼着することにより、前記電磁波障害防止効果を備えた床部と側壁部と天井部のそれぞれ仕上げを簡便かつ迅速に達成することができる。
【図面の簡単な説明】
【図１】本発明に係る内装材の仕上げ方法の一実施例として、ドア組立ての仕上げ状態を示す概略正面図である。
【図２】図１に示す内装材（ドア組立て）のＡ−Ａ断面分解平面図である。
【図３】図２における内装材（ドア組立て）の仕上げ状態を示す要部拡大断面平面図である。
【図４】図１に示す内装材（ドア組立て）のＢ−Ｂ断面図である。
【図５】図３における内装材（ドア組立て）の仕上げ状態を示すものであって、（ａ）は仕上げ用金具の平面図、（ｂ）は仕上げ状態の要部拡大断面平面図である。
【図６】図４における内装材（ドア組立て）の変形例を示す要部拡大断面図である。
【図７】図１に示す内装材（ドア組立て）のＣ−Ｃ断面図であって、内装材（ドア組立て）の仕上げ構造の一実施例を示すものである。
【図８】図１に示す内装材（ドア組立て）のＤ−Ｄ断面概略図であって、内装材（ドア組立て）の仕上げ構造の一実施例を示すものである。
【図９】図７における内装材（ドア組立て）の仕上げ構造の作用を示す要部拡大断面図である。
【図１０】（ａ）ないし（ｃ）は図７における内装材（ドア組立て）の仕上げ構造の変形例を示す要部拡大断面図である。
【図１１】図７における内装材（ドア組立て）の仕上げ構造のさらに別の変形例を示す要部拡大断面図である。
【図１２】本発明に係る内装材の仕上げ方法の別の実施例として、床部と側壁部と天井部との結合およびその仕上げ構造の一実施例を示す要部断面側面図である。
【図１３】図１２における内装材（床部と側壁部と天井部との結合）に適用し得る仕上げ材であって、（ａ）は回り縁の断面側面図、（ｂ）は幅木の要部斜視図である。
【図１４】図１２における内装材（床部と側壁部と天井部との結合）の変形例を示す要部断面図である。
【図１５】図１４における内装材（床部と側壁部と天井部との結合）に適用し得る仕上げ材であって、（ａ）は仕上げ用回り縁金具の要部斜視図、（ｂ）は仕上げ用幅木金具の要部斜視図である。
【図１６】（ａ）〜（ｃ）は、本発明に係る内装材の仕上げ方法のさらに別の実施例として、天井部およびその仕上げ構造を示すものであって、（ａ）は要部断面説明図、（ｂ）は仕上げ用見切金具の要部斜視図、（ｃ）は化粧用見切を使用する仕上げ用見切金具の要部斜視図である。
【図１７】本発明に係る内装材の仕上げ方法の他の実施例として、特に側壁部およびその仕上げ構造を示す要部断面側面図である。
【図１８】（ａ）〜（ｃ）は、本発明に係る内装材の仕上げ方法に適用し得る電磁波障害防止用シートの変形例とその仕上げ工程をそれぞれ示す要部説明図である。
【図１９】（ａ）および（ｂ）は、本発明に係る内装材の仕上げ方法に適用し得る電磁波障害防止用シートの変形例とその仕上げ状態をそれぞれ示す要部説明図である。
【符号の説明】
１０  ドア組立て
１１  中間板材
１１ａ、１１ｂ  テーパカット部分
１２ａ、１２ｂ  表面板材
１３  第１の導電性物質塗布シート
１４  第２の導電性物質塗布シート
１５  導電性板部材
１６  楔部材
１７  透明板
１７ａ  導電テープ
１８  開口部
１９ａ、１９ｂ  窓枠部材
２０  仕切壁部
２２  出入口木枠
２４  窓部
２６  ガラリ（ルーバ）
２８  床部
３０  ドア組立て用仕上げ金具
３２  出入口木枠
３２ａ  戸当り凸部
３３  出入口床部
３４  仕上げ用金具
３５  戸当り
３６  接触片
３７  接地金属板
３８  出入口金属枠
３８ａ、３８ｂ  嵌合部
３９  挾持片
４０  化粧用内装材
４１  化粧縁
４２  天井部
４２ａ  見切
４３  第１の導電性物質塗布シート
４４  第２の導電性物質塗布シート
４５Ａ、４５Ａ′  仕上げ用幅木金具
４５Ｂ、４５Ｂ′  仕上げ用回り縁金具
４５Ｃ、４５Ｃ′  仕上げ用見切金具
４６  幅木（化粧用幅木）
４８  回り縁（化粧用回り縁）
４９  化粧床材
５０  化粧用見切
５２  内装材
５３  幅木
５４  回り縁
５４ａ  係止部材
５５  見切
５６  合板または耐火材
５８  テーパカット
【図１】
0003835733.tif 000002
【図２】
0003835733.tif 000003
【図３】
0003835733.tif 000004
【図４】
0003835733.tif 000005
【図５】
0003835733.tif 000006
【図６】
0003835733.tif 000007
【図７】
0003835733.tif 000008
【図８】
0003835733.tif 000009
【図９】
0003835733.tif 000010
【図１０】
0003835733.tif 000011
【図１１】
0003835733.tif 000012
【図１２】
0003835733.tif 000013
【図１３】
0003835733.tif 000014
【図１４】
0003835733.tif 000015
【図１５】
0003835733.tif 000016
【図１６】
0003835733.tif 000017
【図１７】
0003835733.tif 000018
【図１８】
0003835733.tif 000019
【図１９】
0003835733.tif 000020